(57)【要約】【課題】パネル表示装置用色管理構造体を提供する。【解決手段】表示アレイ装置と、複数のゲート駆動装置と、複数のソース駆動装置であって、複数のゲート駆動装置とこの複数のソース駆動装置とが前記表示アレイ装置を駆動して画像を表示するのである複数のソース駆動装置と、タイミングシーケンス制御装置であって、このタイミングシーケンス制御装置が複数のゲート駆動装置および複数のソース駆動装置に対して複数の信号を出力して表示アレイ装置を駆動すると共にこのタイミングシーケンス制御装置がクロック信号および色管理データを複数のソース駆動装置に対して出力するのであるタイミングシーケンス制御装置と、が設けてある。【選択図】  図３
2005258381.tif 000002
【特許請求の範囲】
【請求項１】
表示アレイ装置と、
複数のゲート駆動装置と、
複数のソース駆動装置であって、前記複数のゲート駆動装置および前記複数のソース駆動装置が前記表示アレイ装置を駆動して画像を表示するのである複数のソース駆動装置と、
タイミングシーケンス制御装置であって、前記タイミングシーケンス制御装置が前記複数のゲート駆動装置および前記複数のソース駆動装置に対して複数の信号を出力して前記表示アレイ装置を駆動し、前記タイミングシーケンス制御装置がクロック信号および色管理データを前記複数のソース駆動装置に対して出力するのであるタイミングシーケンス制御装置と、
を備えているパネル表示装置用色管理構造体。
【請求項２】
前記色管理データが調節可能である請求項１に記載の色管理構造体。
【請求項３】
前記パネル表示装置が液晶ディスプレイである請求項１に記載の色管理構造体。
【請求項４】
前記タイミングシーケンス制御装置が、
システム入力を受信して前記クロック信号を供給するタイミングコントローラと、
前記タイミングコントローラに結合されていて前記色管理データおよび前記クロック信号を前記複数のソース駆動装置に対して出力する色管理制御ブロックであって、前記色管理データが調節可能である色管理制御ブロックと、
を備えている請求項１に記載の色管理構造体。
【請求項５】
前記色管理制御ブロックが、
色管理基本データを記憶する記憶装置と、
前記色管理基本データと前記タイミングコントローラの出力とを受信し、前記色管理データと前記クロック信号とを出力する処理装置と、
を備えている請求項４に記載の色管理構造体。
【請求項６】
前記複数のソース駆動装置の各々が、
前記表示アレイ装置を駆動するソース駆動回路と、
前記色管理データと前記クロック信号とを受信し、複数の色電圧レベル信号を前記ソース駆動回路に対して並列出力するプログラム可能データインターフェイスと、
を備えている請求項１に記載の色管理構造体。
【請求項７】
前記複数の色電圧レベル信号が複数の色ガンマ電圧レベルデータを含んでいる請求項６に記載の色管理構造体。
【請求項８】
前記プログラム可能データインターフェイスが、
前記色管理データと前記クロック信号とを受信し、前記色管理データをデータ形式に従って変換する入力インターフェイスと、
前記変換された色管理データと前記クロック信号とを受信し、前記変換された色管理データを復号し、復号されたデータと制御信号とを出力するデコーダと、
前記復号されたデータと前記制御信号と前記クロック信号とを受信し、前記複数の色電圧レベル信号を並列出力するデジタル−アナログ変換装置と、
を備えている請求項６に記載の色管理構造体。
【請求項９】
前記入力インターフェイスが前記クロック信号に基づいて直列入力信号を複数の並列出力信号に変換する請求項８に記載の色管理構造体。
【請求項１０】
前記デジタル−アナログ変換装置が、
前記デコーダの出力を受信するシフトレジスタと、
前記シフトレジスタの出力を受信し、前記デコーダの前記出力を受信するラッチと、
前記ラッチに結合されており、前記複数の色電圧レベル信号の各々に対応している複数のデジタル−アナログ変換器と、
を備えている請求項８に記載の色管理構造体。
【請求項１１】
前記タイミングシーケンス制御装置が特定用途向け集積回路（ＡＳＩＣ：ａｐｐｌｉｃａｔｉｏｎ  ｓｐｅｃｉｆｉｅｄ  ｉｎｔｅｇｒａｔｅｄ  ｃｉｒｃｕｉｔ）に一体化されている請求項１に記載の色管理構造体。
【請求項１２】
パネル表示装置の表示アレイ装置を駆動するソース駆動装置であって、
前記表示アレイ装置を駆動するソース駆動回路と、
色管理データとクロック信号とを受信し、複数の色電圧レベル信号を前記ソース駆動回路に対して並列出力するプログラム可能データインターフェイスと、
を備えているソース駆動装置。
【請求項１３】
前記複数の色電圧レベル信号が複数の色ガンマ電圧レベルデータを含んでいる請求項１２に記載のソース駆動装置。
【請求項１４】
前記プログラム可能データインターフェイスが、
前記色管理データと前記クロック信号とを受信し、前記色管理データをデータ形式に従って変換する入力インターフェイスと、
前記変換された色管理データと前記クロック信号とを受信し、前記変換された色管理データを復号し、復号されたデータと制御信号とを出力するデコーダと、
前記復号されたデータと前記制御信号と前記クロック信号とを受信し、前記複数の色電圧レベル信号を並列出力するデジタル−アナログ変換装置と、
を備えている請求項１２に記載のソース駆動装置。
【請求項１５】
前記入力インターフェイスが前記クロック信号に基づいて直列入力信号を複数の並列出力信号に変換する請求項１４に記載のソース駆動装置。
【請求項１６】
前記デジタル−アナログ変換装置が、
前記デコーダの出力を受信するシフトレジスタと、
前記シフトレジスタの出力を受信し、前記デコーダの前記出力を受信するラッチと、
前記ラッチに結合されており、前記複数の色電圧レベル信号の各々に対応している複数のデジタル−アナログ変換器と、
を備えている請求項１４に記載のソース駆動装置。
【請求項１７】
表示アレイ装置と、
複数のゲート駆動装置と、
複数のソース駆動装置であって、前記複数のゲート駆動装置および前記複数のソース駆動装置が前記表示アレイ装置を駆動して画像を表示するのである複数のソース駆動装置と、
タイミングシーケンス制御装置であって、前記タイミングシーケンス制御装置が前記複数のゲート駆動装置および前記複数のソース駆動装置に対して複数の信号を出力して前記表示アレイ装置を駆動し、前記タイミングシーケンス制御装置がクロック信号を出力するのであるタイミングシーケンス制御装置と、
前記タイミングシーケンス制御装置および前記複数のソース駆動装置に結合されており、色管理データを前記複数のソース駆動装置に対して生成する色管理インターフェイスシステムと、
を備えているパネル表示装置用色管理構造体。
【請求項１８】
前記色管理インターフェイスシステムが、前記タイミングシーケンス制御装置に色管理制御ブロックを備えており、前記複数のソース駆動装置の各々に色データ変換装置を備えていて、前記複数のソース駆動装置に対する複数の色電圧レベル信号を取得するのである請求項１７に記載の色管理構造体。
【請求項１９】
表示アレイ装置と、
前記表示アレイ装置を駆動して画像を表示するのである複数の駆動装置と、
タイミングシーケンス制御装置であって、前記タイミングシーケンス制御装置が前記複数の駆動装置に対して複数の信号を出力して前記表示アレイ装置を駆動し、前記タイミングシーケンス制御装置がクロック信号および色管理データを前記複数の駆動装置に対して出力するのであるタイミングシーケンス制御装置と、
を備えているパネル表示装置。
【請求項２０】
前記色管理データが直列色管理補正データである請求項１９に記載のパネル表示装置。
【請求項２１】
パネル表示装置用の色管理方法であって、前記パネル表示装置は表示アレイ装置と複数の駆動装置とタイミングシーケンス制御装置とを備えているのであり、前記タイミングシーケンス制御装置は前記複数の駆動装置に対して複数の信号を出力して前記表示アレイ装置を駆動するのであり、前記色管理方法が、
クロック信号に基づき、前記タイミングシーケンス制御装置を介して直列色管理データを生成することと、
前記直列色管理データを複数の並列アナログ色データ信号に変換することと、
前記複数の並列アナログ色データ信号を前記複数の駆動装置に入力して画素の色を補正することと、
を備えている色管理方法。
【発明の詳細な説明】
【技術分野】
【０００１】
本発明は、一般的には表示装置に関し、より詳しくは、パネル表示装置用色管理構造体およびその方法に関する。
【背景技術】
【０００２】
近年、表示技術が著しく発展している。従来のＣＲＴ表示装置のかなりの部分がパネル表示装置で置換えられている。最も普通のパネル表示装置のひとつは薄膜トランジスタ液晶ディスプレイ（ＴＦＴ−ＬＣＤ：ｔｈｉｎ−ｆｉｌｍ  ｔｒａｎｓｉｓｔｏｒ  ｌｉｑｕｉｄ  ｃｒｙｓｔａｌ  ｄｉｓｐｌａｙ）である。更に、プラズマディスプレイや有機発光ダイオード（ＯＬＥＤ：ｏｒｇａｎｉｃ  ｌｉｇｈｔ  ｅｍｉｔｔｉｎｇ  ｄｉｏｄｅ）も普及しつつある。
【０００３】
パネル表示装置の表示部は、画素アレイで構成されている。この画素アレイは、通常の碁盤目状のアレイであり、駆動装置で駆動される。駆動装置はアレイ状の画像データに基づいて対応画素を駆動する。各画素は駆動装置の制御に従って特定時点で特定色を表示する。しかし、画素の色が人間の目に対する理想的な色調と整合するように更に補正（例えば、ガンマ曲線補正）する必要がある。従来の色補正は、ＴＦＴ−ＬＣＤを用いる例では以下のように行われる。
【０００４】
図１は、従来のＴＦＴ−ＬＣＤ装置のソース駆動装置のブロック図である。このＴＦＴ−ＬＣＤ装置では、ソース駆動装置およびゲート駆動装置を用いて画素を駆動している。色補正データがソース駆動装置に送られて表示色の補正が行われる。図１に示したソース駆動装置は、一般に、シフトレジスタ１００と、ラインラッチ１０２と、レベルシフタ１０４と、デジタル−アナログ変換器（ＤＡＣ：ｄｉｇｉｔａｌ  ｔｏ  ａｎａｌｏｇ  ｃｏｎｖｅｒｔｅｒ）１０６と、出力バッファ１０８と、信号受信器１１０と、データレジスタ１１２と、を備えている。ＤＡＣ１０６は並列入力されたガンマ補正曲線の電圧レベルＶＧＭＡ１〜ＶＧＭＡ１４を受信する。信号受信器１１０はＲＳＤＳ関連信号などの入力信号を受信する。出力バッファ１０８は信号Ｙ１，Ｙ２，…を出力して画素の表示を制御する。図１に示した従来のソース駆動装置は、当業者には良く知られているのでここではこれ以上詳しく説明しない。
【０００５】
従来のＬＣＤ装置の基本構成を図２に示す。これには、画像を表示するためのＴＦＴ−ＬＣＤ画素アレイ１２０が設けてある。画素アレイ１２０の行および列は、複数のソース駆動装置１２２および複数のゲート駆動装置１２４で駆動される。ＤＣ−ＤＣ変換器などの電源装置１３０がソース駆動装置１２２およびゲート駆動装置１２４に電圧を供給する。更に、特定用途向け集積回路（ＡＳＩＣ：ａｐｐｌｉｃａｔｉｏｎ  ｓｐｅｃｉｆｉｃ  ＩＣ）１２６が、コネクタ１２８からの入力データに基づいて適切なクロック信号および色データを生成し、ソース駆動装置１２２およびゲート駆動装置１２４へ出力されるデータ信号を対応づける（矢印で示した）。必要なデータ信号は当業者には良く知られているのでここではこれ以上詳しく説明しない。一般に、ＡＳＩＣチップ１２６は、受信器１２６ａと、ＲＳＤＳ／ＴＴＬ送信器１２６ｂと、タイミングシーケンスコントローラ１２６ｃと、を備えている。
【０００６】
更に、従来のＬＣＤ装置は、各ソース駆動装置１２２に対して複数のガンマ曲線色補正電圧を並列出力して画素の色を補正するガンマ補正装置１３２をも備えている。
【０００７】
ガンマ曲線に必要な電圧は、このシステム回路基板上の抵抗を介して電圧駆動装置から供給される。更に、テレビ受像機の用途では、色調性能または色管理を向上させるために、赤色、緑色、青色の各々に対してガンマ曲線を設けることがある。これは３ガンマ設計と呼ばれている。３つのガンマ曲線を設定するためには分圧器用の抵抗および電圧レベル安定化用のキャパシタが３組必要となるので、製造費用が増加する。更に、ビット数の増加に伴う駆動装置数の増加や、ガンマ当てはめを向上させるためなどの理由から、ガンマデータの数が１０から１４あるいはそれ以上に増加している。３ガンマ設計も考慮すれば、回路基板の大きさはずっと大型のものにならざるを得ない。したがって、システムの費用や重量が著しく増加する。更に、従来の設計に基づいてガンマデータを調節することができなくなる。また、明るさの違いや液晶の違いに応じて、このシステム回路基板上の抵抗を調節する必要がある。したがって、いわゆる抵抗実装型プリント基板（ｒｅｓｉｓｔｏｒ−ｏｎ−ＰＣＢ）という設計方式を採用した場合には、設計に要する期間が長くなり、開発日程が遅くなる。
【発明の開示】
【発明が解決しようとする課題】
【０００８】
本発明の少なくとも１つの目的は、ソース駆動装置に対して色管理データを供給するガンマ補正装置を必要としない表示装置用色管理構造体を提供することにある。タイミングシーケンス制御装置がソース駆動装置に対して色管理データを供給できる。この色管理データは、ソース駆動装置が復号し変換した後に使用できる。したがって、従来のガンマ補正装置の分圧器に必要であった抵抗を備えておらず、装置の製造費用および重量が軽減される。
【課題を解決するための手段】
【０００９】
本発明では、表示アレイ装置と、複数のゲート駆動装置と、複数のソース駆動装置と、タイミングシーケンス制御装置と、を備えたパネル表示装置用色管理構造体を提供する。複数のゲート駆動装置および複数のソース駆動装置は表示アレイ装置を駆動して画像を表示する。タイミングシーケンス制御装置は複数のゲート駆動装置および複数のソース駆動装置に対して複数の信号を出力して表示アレイ装置を駆動する。タイミングシーケンス制御装置はクロック信号および色管理データを複数のソース駆動装置に対して出力する。
【００１０】
本発明では、また、表示アレイ装置と、複数のゲート駆動装置と、複数のソース駆動装置と、タイミングシーケンス制御装置と、色管理インターフェイスシステムと、を備えた別のパネル表示装置用色管理構造体を提供する。複数のゲート駆動装置および複数のソース駆動装置は表示アレイ装置を駆動して画像を表示する。タイミングシーケンス制御装置はゲート駆動装置およびソース駆動装置に対して複数の信号を出力して表示アレイ装置を駆動する。タイミングシーケンス制御装置はクロック信号を出力する。タイミングシーケンス制御装置および複数のソース駆動装置に結合された色管理インターフェイスシステムは色管理データをソース駆動装置に対して生成する。
【００１１】
本発明の別の目的は、表示アレイ装置を駆動するパネル表示装置用ソース駆動装置を提供することにある。このソース駆動装置は、直列色管理データを受信して複数の並列色管理データに変換し、色管理を行うことができる。
【００１２】
本発明では、パネル表示装置の表示アレイ装置を駆動するソース駆動装置を提供する。このソース駆動装置は、表示アレイ装置を駆動するソース駆動回路と、色管理データとクロック信号とを受信し、複数の色電圧レベル信号をソース駆動回路に対して並列出力するプログラム可能データインターフェイスと、を備えている。
【００１３】
本発明の更に別の目的は、ソース駆動装置に対して色管理データを供給するガンマ補正装置を必要としない色管理方法を提供することにある。これにより、従来のガンマ補正装置の分圧器の抵抗を削減できるので、装置の製造費用および重量が軽減される。
【００１４】
本発明ではパネル表示装置用の色管理方法を提供する。パネル表示装置は表示アレイ装置と複数の駆動装置とタイミングシーケンス制御装置とを備えているのであり、タイミングシーケンス制御装置は複数の駆動装置に対して複数の信号を出力して表示アレイ装置を駆動する。この色管理方法は、タイミングシーケンス制御装置がクロック信号に基づいて直列色管理データを生成することを備えている。更に、直列色管理データは複数の並列アナログ色データ信号に変換される。複数の並列アナログ色データ信号は複数の駆動装置に入力されて画素の色を補正する。
【００１５】
本発明では、表示アレイ装置と、表示アレイ装置を駆動して画像を表示するのである複数の駆動装置と、タイミングシーケンス制御装置と、を備えたパネル表示装置を提供する。タイミングシーケンス制御装置は駆動装置に対して複数の信号を出力して表示アレイ装置を駆動する。タイミングシーケンス制御装置はクロック信号および色管理データを複数の駆動装置に対して出力する。
【発明の効果】
【００１６】
以上では、先行技術におけるいくつかの欠点と本発明の長所とを簡単に説明した。本発明のその他の特徴、長所、および実施例は、以下の説明、添付図面、および添付した請求範囲から、当業者にとって明らかとなる。
【発明を実施するための最良の形態】
【００１７】
図３は、本発明の好適な実施例に係るＬＣＤ装置のブロック図である。このＬＣＤ装置は、画像を表示するためのＴＦＴ−ＬＣＤ画素アレイ１２０を備えている。複数のソース駆動装置２０４および複数のゲート駆動装置２０２が、対応する画素を駆動して画像を表示する。ＤＣ／ＤＣ変換器１３０が駆動装置２０２および２０４に電圧を供給する。
【００１８】
本発明では、新規なＡＳＩＣチップ２００が提供される。このＡＳＩＣチップ２００は、いわゆるタイミングシーケンス制御装置である。ＡＳＩＣチップ２００は、受信器２００ａと、ＲＤＳＤ／ＴＴＬ送信器２００ｂと、タイミングシーケンスコントローラ２００ｃと、記憶装置２００ｄと、を備えている。記憶装置２００ｄは色管理基本データを記憶する。更に、ＡＳＩＣチップ２００とソース駆動装置２０４との間にプログラム可能インターフェイスが存在する。したがって、ＡＳＩＣチップ２００はゲート駆動装置２０２およびソース駆動装置２０４に対して複数の信号を出力し、アレイ装置を駆動することができる。ＡＳＩＣチップ２００は、また、クロック信号および色管理データをソース駆動装置２０４に対して出力する。
【００１９】
色管理データは、調節可能すなわちプログラム可能なデータである。ソース駆動装置２０４がこのデータを受信して処理すれば、ガンマ曲線データなどの所望の色管理データが得られ、画素を駆動して適切な色を表示できる。
【００２０】
本発明の実施例では、色管理データがデジタル形式で記憶装置に記憶された後、インターフェイスを介して、ソース駆動装置２０４で使用する色管理データに変換されるので、システム回路に従来のガンマ補正装置１３２を設ける必要がなく、分圧器用の多数の抵抗を用いることが不要となる。
【００２１】
同じ原理に基づいて、ＡＳＩＣチップ２００には図４に示した変形例が可能である。図４では、ＡＳＩＣチップ２００が、ソース駆動装置２０４およびゲート駆動装置２０２に対して信号（図４中の矢印）を供給できる。ＡＳＩＣチップ２００は、また、記憶装置２００ｄと処理装置２００ｅとを備えている。処理装置２００ｅは記憶装置２００ｄに記憶されたデータを処理して、ガンマ曲線データなどの色管理データをソース駆動装置２０４に送る。
【００２２】
上述のＡＳＩＣチップ２００をタイミングシーケンス制御装置と呼ぶことができる。図５は、本発明の好適な実施例に係るＬＣＤ装置のブロック図である。パネル表示装置が、Ｍ×Ｎ画素を有するパネル２５０であっても良い。パネル２５０の周囲に複数のソース駆動装置２０４およびゲート駆動装置２０２があって、対応する画素を駆動する。そうして画素アレイが画像を表示する。電源２５８がソース駆動装置２０４およびゲート駆動装置２０２に対して適切な電圧を供給する。
【００２３】
このＬＣＤ装置は、また、タイミングシーケンス制御装置２５６を備えている。タイミングシーケンス制御装置２５６はゲート駆動装置２０２およびソース駆動装置２０４に対して複数の信号を出力し、アレイ装置を駆動する。タイミングシーケンス制御装置２５６は、また、ソース駆動装置２０４に対してクロック信号および色管理データを出力する。色管理データは、ガンマ曲線の調節可能な電圧値を、一連の電圧としてデジタル形式で含んでいる。この直列色管理データはソース駆動装置２０４によって並列アナログ色データ電圧値に復号される。これらのアナログ色データ電圧値は、例えば、図１の電圧値ＶＧＡ１〜ＶＧＡ１４である。
【００２４】
ソース駆動装置２０４の設計に関しては、プログラム可能インターフェイス３００および従来のソース駆動装置１２２を、図６に示した本発明のソース駆動装置２０４に一体化できる。プログラム可能インターフェイス３００は、タイミングシーケンス制御装置２５６とソース駆動装置１２２との間に配置することもできる。
【００２５】
図６の実施例では、プログラム可能インターフェイス３００は、タイミングシーケンス制御装置２５６からのプログラム可能データと基準クロック信号Ｃｌｏｃｋとを受信する入力インターフェイス３０２を備えている。入力インターフェイス３０２はプログラム可能データを必要な形式に変換してデコーダ３０４に出力する。デコーダ３０４は、また、基準クロック信号Ｃｌｏｃｋを受信してそのデータを復号し、デジタルデータおよび制御信号を得る。デジタル−アナログ変換（ＤＡＣ：ｄｉｇｉｔａｌ−ｔｏ−ａｎａｌｏｇ  ｃｏｎｖｅｒｔｅｒ）装置３０６がデジタルデータと制御信号と基準クロック信号Ｃｌｏｃｋとを受信し、そのデジタルデータをＶｇａｍｍａ１，Ｖｇａｍｍａ２，…，Ｖｇａｍｍａ  ｎという複数の並列色管理データに変換する。次いで、これらの並列色管理データは従来のソース駆動装置１２２に入力される。
【００２６】
プログラム可能インターフェイス３００に関しては、いくつかの変形例が可能である。図７は本発明に係るプログラム可能インターフェイス３００のブロック図である。直列−並列入力インターフェイス３０２を介して、直列プログラム可能データが並列データに変換される。デコーダ３０４が、並列データを復号し、シフトレジスタとラッチと複数のＤＡＣとを用いて電圧信号Ｖｇａｍｍａ１，Ｖｇａｍｍａ２，…，Ｖｇａｍｍａ  ｎというアナログ色管理データを得る。
【００２７】
したがって、本発明のソース駆動装置は、表示アレイ装置を駆動するソース駆動回路と、色管理データおよびクロック信号を受信して複数の色電圧レベル信号をソース駆動回路に対して並列出力するプログラム可能データインターフェイスと、を備えている。
【００２８】
本発明のタイミングシーケンス制御装置２５６はＡＳＩＣチップに一体化できる。図８に示したタイミングシーケンス制御装置２５６は従来のタイミングシーケンスコントローラ２５６ａと制御ブロック２５６ｂとを備えている。タイミングシーケンスコントローラ２５６ａは制御ブロック２５６ｂに結合されており、ガンマ値などのプログラム可能色データを生成する。制御ブロック２５６ｂはプログラム可能データおよび基準クロック信号を出力する。プログラム可能データおよび基準クロック信号は各ソース駆動装置２０４に送ることができる。
【００２９】
図９に示した上述の制御ブロック２５６ｂが処理装置４０２および記憶装置４００を備えていても良い。記憶装置４００が色管理基準データすなわち基本データを記憶する。処理装置４０２が色管理基準データすなわち基本データを処理し、プログラム可能データおよび基準クロック信号を出力する。
【００３０】
本発明の色管理インターフェイスシステムは２つの部分に分けられており、これら２つの部分はタイミングシーケンス制御装置とソース駆動装置とに配置されているが、本発明はこの配置に限定されない。色管理インターフェイスシステムがタイミングシーケンス制御装置とソース駆動装置との間に結合され、ソース駆動装置に対して色管理データを生成しても良い。
【００３１】
本発明では、また、パネル表示装置用の色管理方法を提供する。パネル表示装置は表示アレイ装置と複数の駆動装置とタイミングシーケンス制御装置とを備えている。タイミングシーケンス制御装置は複数の駆動装置に対して複数の信号を出力して表示アレイ装置を駆動する。この色管理方法は、クロック信号に基づいてタイミングシーケンス制御装置から直列色管理データを生成することを備えている。直列色管理データは複数の並列アナログ色データ信号に変換される。複数の並列アナログ色データ信号は複数の駆動装置に入力されて画素の色を補正する。
【００３２】
本発明のＬＣＤ装置は、ソース駆動装置に対して色管理データを供給する従来のガンマ補正装置を必要としない。タイミングシーケンス制御装置がソース駆動装置に対して色管理データを供給できる。色管理データは、ソース駆動装置によって復号され変換された後に利用できる。したがって、従来のガンマ補正装置の分圧器に必要であった抵抗を備えておらず、装置の製造費用および重量が軽減される。
【産業上の利用可能性】
【００３３】
この色管理方法は、ＴＦＴ−ＬＣＤ装置ばかりでなくその他のパネル表示装置に対しても適しており、色を管理し補正できる。
【００３４】
以上の説明は本発明の好適な実施例の充分に完全な説明を与えるものである。様々な修正や代替の構成、およびこれに等価なものは、本発明の技術範囲や精神を変更することなく、当業者により為され得る。したがって、上述の説明や例示は、添付の請求範囲によって規定される本発明の技術範囲を制限するものと解してはならない。
【図面の簡単な説明】
【００３５】
【図１】従来のソース駆動装置のブロック図である。
【図２】従来のＬＣＤ装置の構造図である。
【図３】本発明の好適な実施例に係るＬＣＤ装置のブロック図である。
【図４】本発明の好適な実施例に係る図３のＡＳＩＣチップのブロック図である。
【図５】本発明の好適な実施例に係るＬＣＤ装置のブロック図である。
【図６】本発明に係るソース駆動装置の構造図である。
【図７】本発明に係るソース駆動装置の構造図である。
【図８】本発明に係るタイミングシーケンス制御装置の構造図である。
【図９】本発明に係るタイミングシーケンス制御装置の構造図である。
【符号の説明】
【００３６】
１００        シフトレジスタ
１０２        ラインラッチ
１０４        レベルシフタ
１０８        出力バッファ
１１０        信号受信器
１１２        データレジスタ
１２０        画素アレイ
１２２        ソース駆動装置
１２４        ゲート駆動装置
１２６        ＡＳＩＣチップ
１２６ａ      受信器
１２６ｂ      送信器
１２６ｃ      タイミングシーケンスコントローラ
１２８        コネクタ
１３０        ＤＣ／ＤＣ変換器（電源装置）
１３２        ガンマ補正装置
２００        ＡＳＩＣチップ
２００ａ      受信器
２００ｂ      送信器
２００ｃ      タイミングシーケンスコントローラ
２００ｄ      記憶装置
２００ｅ      処理装置
２０２        ゲート駆動装置
２０４        ソース駆動装置
２５０        パネル
２５６        タイミングシーケンス制御装置
２５６ａ      タイミングシーケンスコントローラ
２５６ｂ      制御ブロック
２５８        電源
３００        プログラム可能インターフェイス
３０２        並列入力インターフェイス
３０４        デコーダ
３０６        デジタル−アナログ変換装置
４００        記憶装置
４０２        処理装置
【図１】
2005258381.tif 000003
【図２】
2005258381.tif 000004
【図３】
2005258381.tif 000005
【図４】
2005258381.tif 000006
【図５】
2005258381.tif 000007
【図６】
2005258381.tif 000008
【図７】
2005258381.tif 000009
【図８】
2005258381.tif 000010
【図９】
2005258381.tif 000011